(57)【要約】【課題】振り出しボトルを傾けるのみで液状物が常時定量的に注出可能な液状物振り出しボトル用のノズルキャップと該ノズルキャップを使用した液状物振り出しボトルを提供すること。【解決手段】中央に開口孔（１１）が穿設された天板（１２）の周縁にボトルの首部に嵌着される周壁（１３）が垂設され、天板の開口孔側周縁から開口孔より小さい直径のスティック（１４）が下方に向けて垂設され、その先端は反転して開口孔（１１）に向けて立設されている。【選択図】図１
2004250045.tif 000002
【特許請求の範囲】
【請求項１】
中央に開口孔が穿設された天板の周縁にボトルの首部に嵌着される周壁が垂設され、
前記天板の開口孔側周縁から開口孔より小さい径のスティックが、下方に向けて垂設され、その先端は反転して開口孔に向けて立設されていることを特徴とする、液状物振り出しボトル用ノズルキャップ。
【請求項２】
前記周壁の下端に前記ノズルキャップの全体を閉鎖し、ノズルキャップの内側と嵌着され、ボトル首部の内側に嵌着される、中央近傍に小孔が穿設された中栓が設けられていることを特徴とする、請求項１記載の液状物振り出しボトル用ノズルキャップ。
【請求項３】
中央に開口孔が穿設された天板と、該天板の周縁より下方に垂設された周壁と、から成る内キャップと、
小孔が穿設された内キャップの下部を覆う中栓板と、中栓板の中央に立設されるスティックと、中栓板の表面側に立設され前記内キャップの周壁の内側に嵌合される第１環状突起と、中栓板の内面側に立設されボトルの首部の内側に嵌合される第２環状突起と、から成る中栓と、から構成されていることを特徴とする、液状物振り出しボトル用ノズルキャップ。
【請求項４】
前記スティックは開口孔より上方に突出して立設されていることを特徴とする、請求項１〜３のいずれか１項に記載の液状物振り出しボトル用ノズルキャップ。
【請求項５】
請求項１、２、３又は４記載のノズルキャップを用いた液状物振り出しボトル。
【発明の詳細な説明】
【０００１】
【発明の属する技術分野】
本発明は、液状物を収容し、それを振ってまたは倒立させて液状物を注ぎだす液状物振り出しボトル用のノズルキャップと、該ノズルキャップを用いた液状物振り出しボトルに関するものであり、特に、出液不良が問題になる液状物を収容する振り出しボトル用のノズルキャップと、該ノズルキャップを用いた液状物振り出しボトルに関する。
【０００２】
【従来の技術】
従来、市場に出ている液状物を収容するボトルは、ボトルの首部の開口穴に中央に注出孔を有する中栓を嵌め込むなどして液状物が一度に大量に出ないようにし、該中栓を覆うように螺合等の手段によりキャップ等を被せて密封している形態が多い。
【０００３】
そして内容物を注ぎ出す際には、一般的にはキャップあるいはキャップの上部を外してボトルを押して内容物を絞り出す方法をとっている。
このような方法においては内容物の出方が悪いという問題は生じないが、内容物を振って出したり、または倒立して出す場合には、液状物が乾燥したり表面張力が働いた場合、しばしば内容物がでにくいという問題が生じていた。
【０００４】
そのような問題を克服するため、従来はボトルを強く振る、何回も振るなどの方法が取られていた。しかし、内容物が芳香剤など静置させておくボトルに関しては強く振ったり、何回も振るといった方法が取れないので中栓の注出孔の直径を大きくするなどの処置を行うのみであった。しかし、この場合には液状物が必要以上に出てしまうといった問題があった。
【０００５】
【発明が解決しようとする課題】
本発明は、液状物を収容する振り出しボトルに関する以上のような問題点を解決するためになされたもので、振り出しボトルを傾けるのみで液状物が常時定量的に注出可能な液状物振り出しボトル用のノズルキャップと該ノズルキャップを使用した液状物振り出しボトルを提供することを課題とする。
【０００６】
【課題を解決するための手段】
本発明の請求項１の発明は、中央に開口孔が穿設された天板の周縁にボトルの首部に嵌着される周壁が垂設され、前記天板の開口孔側周縁から、開口孔より小さい径のスティックが、下方に向けて垂設され、その先端は反転して開口孔に向けて立設されていることを特徴とする、液状物振り出しボトル用ノズルキャップである。
【０００７】
このように請求項１記載の発明によれば、天板の開口孔側周縁から開口孔より小さい径のスティックが、下方に向けて垂設され、その先端は反転して開口孔に向けて立設されているので、ボトルを傾けるのみでボトルに収容されている液状物がスティックを伝わって開口孔から注出してくる。
【０００８】
また、請求項２の発明は、請求項１の発明において、前記周壁の下端に前記ノズルキャップの全体を閉鎖し、ノズルキャップの内側と嵌着され、ボトル首部の内側に嵌着される、中央近傍に小孔が穿設された中栓が設けられていることを特徴とする、液状物振り出しボトル用ノズルキャップである。
【０００９】
このように請求項２記載の発明によれば、周壁の下端にノズルキャップの全体を閉鎖し、ノズルキャップの内側と嵌着され、ボトル首部の内側に嵌着される、中央近傍に小孔が穿設された中栓が設けられているので、ボトルを傾けても液状物が一度に流れ出すことはない。
【００１０】
また、請求項３の発明は、中央に開口孔が穿設された天板と、該天板の周縁より下方に垂設された周壁と、から成る内キャップと、小孔が穿設された内キャップの下部を覆う中栓板と、中栓板の中央に立設されるスティックと、中栓板の表面側に立設され前記内キャップの周壁の内側に嵌合される第１環状突起と、中栓板の内面側に立設されボトルの首部の内側に嵌合される第２環状突起と、から成る中栓と、から構成されていることを特徴とする、液状物振り出しボトル用ノズルキャップである。
【００１１】
このように請求項３記載の発明によれば、中央に開口孔が穿設された天板と、該天板の周縁より下方に垂設された周壁と、から成る内キャップと、小孔が穿設された内キャップの下部を覆う中栓板と、中栓板の中央に立設されるスティックと、中栓板の表面側に立設され前記内キャップの周壁の内側に嵌合される第１環状突起と、中栓板の内面側に立設されボトルの首部の内側に嵌合される第２環状突起と、から成る中栓と、から構成されているので、ボトルを傾けても液状物が一度に流れ出すことがない。
【００１２】
また、請求項４の発明は、請求項１、２又は３の発明において、前記スティックは開口孔より上方に突出して立設されていることを特徴とする、液状物振り出しボトル用ノズルキャップである。
【００１３】
このように請求項４記載の発明によれば、スティックの先端は開口孔より上方に突出して立設されているので、ボトルに収容されている液状物はスティックを伝わって確実に流出する。
【００１４】
また、請求項５の発明は、請求項１、２、３又は４記載のノズルキャップを用いた液状物振り出しボトルである。
【００１５】
【発明の実施の形態】
以下、本発明の液状物振り出しボトル用ノズルキャップの実施形態を図面に基づいて詳細に説明する。
本発明の液状物振り出しボトル用ノズルキャップは、例えば図１（ａ）、（ｂ）、（ｃ）に示すように、中央に開口孔（１１）が穿設された天板（１２）の周縁にボトルの首部に嵌着される周壁（１３）が垂設され、前記開口孔（１１）より小さい径のスティック（１４）が、前記天板の開口孔側周縁から下方に向けて垂設され、その先端は反転して開口孔に向けて立設されている構造を有するもので、通常はポリプロピレンなどの剛性のある熱可塑性樹脂を射出成形して作製するものである。
なお、スティック（１４）の断面形状は、図示したような四角形状に限定されず、円形状，楕円形状等任意である。
【００１６】
液状物（５０）が開口孔（１１）からスティック（１４）を伝わって流れ出すようにするためには、スティック（１４）の先端は、天面（１２）より突出して開口孔（１１）より飛び出すように立設させた方が良い（図１（ｃ）参照）。
【００１７】
このノズルキャップ（１０）は、一般的には、液状物（５０）を収容したボトル、ガラスびん等のボトル（３０）の首部（３１）の開口穴に内側から、あるいは外側から嵌め込み、最後にノズルキャップの上にオーバーキャップ（４０）を被せて本発明の振り出しボトル（１）とする（図４参照）。
【００１８】
このように、ノズルキャップ（１０）の内部からスティック（１４）を突出させることにより開口孔（１１）の縁に沿って形成される表面張力による液状物（５０）を破壊し、スティック（１４）を伝わって内容物である液状物（５０）が流れ出るようにした（図５参照）。
【００１９】
図２（ａ）、（ｂ）、（ｃ）は本発明の液状物振り出しボトル用ノズルキャップの別の実施形態を示した説明図である。この形態について説明する。
すなわち、上記実施形態の周壁（１３）の下端にノズルキャップ（１０）の全体を閉鎖し、周壁（１３）の内側に嵌着される第１環状突起（１７）が表側面に設けられ、内側面にボトル（３０）の首部（３１）の内側に嵌着される第２環状突起（１８）が設けられ、中央近傍に小孔（１６）が穿設された中栓（１５）が形成された構造を有しているものである。
【００２０】
すなわち、ノズルキャップの下部開放面に小孔（１６）が穿設された中栓（１５）が嵌め込まれた形状となっている。
中栓（１５）を設けることによりボトルを傾けて液状物（５０）を注ぎ出す際、液状物が一度に流出しないように調整することができる。
【００２１】
図３（ａ）、（ｂ）、（ｃ）は本発明の液状物振り出しボトル用ノズルキャップのさらに別の実施形態を示した説明図である。この形態について説明する。
すなわち、この液状物振り出しボトル用ノズルキャップ（１００）は、中央に開口孔（２０）が穿設された天板（２１）と、該天板の周縁より下方に垂設された周壁（２２）と、から成る内キャップ（２３）と、中央近傍に小孔（２４）が穿設された内キャップの下部を覆う中栓板（２５）と、中栓板の中央に立設されるスティック（２６）と、中栓板の表面側に立設され前記内キャップの周壁の内側に嵌合される第１環状突起（２７）と、中栓板の内面側に立設されボトルの首部の内側に嵌合される第２環状突起（２８）と、から成る中栓（２９）と、から構成されているものである。
そして、他の実施形態と同様に通常はポリプロピレンなどの剛性のある熱可塑性樹脂を射出成形して作製する。
【００２２】
【発明の効果】
このように本発明の液状物振り出しボトル用ノズルキャップは、振り出しにおける液状物の出方をスムースにするだけでなく、倒立させ、静置させるのみでも液状物が出るなど出液を大幅に改善することができる。
また、スティックを伝わって液状物が出るため、従来の形状よりも内容物である液状物の飛び散りを少なく抑えることができる。
【図面の簡単な説明】
【図１】本発明の液状物振り出し用ノズルキャップの一実施例を示す、（ａ）は断面説明図であり、（ｂ）は平面説明図であり、（ｃ）は斜視説明図である。
【図２】本発明の液状物振り出し用ノズルキャップの別の実施例を示す、（ａ）は断面説明図であり、（ｂ）は平面説明図であり、（ｃ）は斜視説明図である。
【図３】本発明の液状物振り出し用ノズルキャップのさらに別の実施例を示す、（ａ）は断面説明図であり、（ｂ）は平面説明図であり、（ｃ）は斜視説明図である。
【図４】本発明の液状物振り出し用ノズルキャップを用いた振り出しボトルの一実施例を示す、断面説明図である。
【図５】本発明の液状物振り出し用ノズルキャップを用いた振り出しボトルの使用状態の一実施例を示す、説明図である。
【符号の説明】
１‥‥振り出しボトル
１０‥‥ノズルキャップ
１１‥‥開口孔
１２‥‥天板
１３‥‥周壁
１４‥‥スティック
１５‥‥中栓
１６‥‥小孔
１７‥‥第１環状突起
１８‥‥第２環状突起
２０‥‥開口孔
２１‥‥天板
２２‥‥周壁
２３‥‥内キャップ
２４‥‥小孔
２５‥‥中栓板
２６‥‥スティック
２７‥‥第１環状突起
２８‥‥第２環状突起
２９‥‥中栓
３０‥‥ボトル
３１‥‥首部
４０‥‥オーバーキャップ
５０‥‥液状物
１００‥‥振り出しボトル
【図１】
2004250045.tif 000003
【図２】
2004250045.tif 000004
【図３】
2004250045.tif 000005
【図４】
2004250045.tif 000006
【図５】
2004250045.tif 000007